(57)【要約】【課題】信号となる光を出射する光素子を備えた光モジュールおよび光モジュールユニットにおいて、光素子から出射された光の反射によるノイズを抑制すること。【解決手段】光ファイバ１１ａと、信号となる光を出射する光素子２０ａと、光ファイバ１１ａが接続される部材であって、光素子２０ａから出射された光を当該光ファイバ１１ａに向かって集束させるレンズ部３４ａを有する光透過部材３０ａと、を備え、レンズ部３４ａと光ファイバ１１ａの間の光軸Ｙが、光ファイバの軸線Ｘ方向に対して傾斜するように設定されている。光素子２０ａは、発光面２１ａが光ファイバの軸線上からずれた位置に位置するように設けられているとよい。【選択図】図１
2015014758.tif 000002
【特許請求の範囲】
【請求項１】
光ファイバと、
信号となる光を出射する光素子と、
前記光ファイバが接続される部材であって、前記光素子から出射された光を当該光ファイバに向かって集束させるレンズ部を有する光透過部材と、
を備え、
前記レンズ部と前記光ファイバの間の光軸が、前記光ファイバの軸線方向に対して傾斜するように設定されていることを特徴とする光モジュール。
【請求項２】
前記光素子は、発光面が前記光ファイバの軸線上からずれた位置に位置するように設けられていることを特徴とする請求項１に記載の光モジュール。
【請求項３】
前記光素子は、発光面が前記光ファイバの軸線に直交する平面に対して傾斜するように設けられていることを特徴とする請求項１または請求項２に記載の光モジュール。
【請求項４】
第一光ファイバおよび第二光ファイバと、
信号となる光を出射する第一光素子、および信号となる光を出射または受光する第二光素子と、
前記第一光ファイバおよび前記第二光ファイバが接続される部材であって、前記第一光素子から出射された光を前記第一光ファイバに向かって集束させる第一レンズ部、および前記第二光素子および前記第二光ファイバの一方から出射された光を他方に向かって集束させる第二レンズ部を有する光透過部材と、
を備え、
前記第一光素子は、その発光面が前記第一光ファイバの軸線よりも内側である前記第二光ファイバ側に位置するように設けられ、
前記第二光素子は、その発光面または受光面が前記第二光ファイバの軸線よりも内側である前記第一光ファイバ側に位置するように設けられていることを特徴とする光モジュールユニット。
【請求項５】
第一光ファイバおよび第二光ファイバと、
信号となる光を出射する第一光素子、および信号となる光を出射または受光する第二光素子と、
前記第一光ファイバおよび前記第二光ファイバが接続される部材であって、前記第一光素子から出射された光を前記第一光ファイバに向かって集束させる第一レンズ部、および前記第二光素子および前記第二光ファイバの一方から出射された光を他方に向かって集束させる第二レンズ部を有する光透過部材と、
を備え、
前記第一光素子は、その発光面が前記第一光ファイバの軸線よりも外側である前記第二光ファイバから離れる側に位置するように設けられ、
前記第二光素子は、その発光面または受光面が前記第二光ファイバの軸線よりも外側である前記第一光ファイバから離れる側に位置するように設けられていることを特徴とする光モジュールユニット。
【発明の詳細な説明】
【技術分野】
【０００１】
本発明は、信号となる光を出射する光素子（発光素子）を備えた光モジュールおよび光モジュールユニットに関する。
【背景技術】
【０００２】
下記特許文献１には、フェルールに固定された光ファイバと、基板に実装された光素子とが、光透過部材（ホルダ等とも称される）に形成されたレンズ部を介して光学的に接続された光モジュールが記載されている。
【先行技術文献】
【特許文献】
【０００３】
【特許文献１】特開２０１２−２３７８１９号公報
【発明の概要】
【発明が解決しようとする課題】
【０００４】
この種の光モジュールでは、発光素子から出射された光が反射してしまうという問題があった。特に、特許文献１に記載の光モジュールのように、フェルールが挿入される筒状の部分の底面に、光ファイバ端面との接触を防ぐ空間（凹部）が形成されている場合、光透過部材と構成する材料と空間内の空気との界面（凹部の底面）で、発光素子から出射された光が反射し、発光素子に戻ってしまう。このような反射光はノイズとなり、発光素子の出力低下などといった問題を招く。
【０００５】
本発明が解決しようとする課題は、信号となる光を出射する光素子を備えた光モジュールおよび光モジュールユニットにおいて、光素子から出射された光の反射によるノイズを抑制することを目的とする。
【課題を解決するための手段】
【０００６】
本発明にかかる光モジュールは、光ファイバと、信号となる光を出射する光素子と、前記光ファイバが接続される部材であって、前記光素子から出射された光を当該光ファイバに向かって集束させるレンズ部を有する光透過部材と、を備え、前記レンズ部と前記光ファイバの間の光軸が、前記光ファイバの軸線方向に対して傾斜するように設定されていることを特徴とする。
【０００７】
前記光素子は、発光面が前記光ファイバの軸線上からずれた位置に位置するように設けられているとよい。
【０００８】
前記光素子は、発光面が前記光ファイバの軸線に直交する平面に対して傾斜するように設けられているとよい。
【０００９】
本発明にかかる光モジュールユニットは、第一光ファイバおよび第二光ファイバと、信号となる光を出射する第一光素子、および信号となる光を出射または受光する第二光素子と、前記第一光ファイバおよび前記第二光ファイバが接続される部材であって、前記第一光素子から出射された光を前記第一光ファイバに向かって集束させる第一レンズ部、および前記第二光素子および前記第二光ファイバの一方から出射された光を他方に向かって集束させる第二レンズ部を有する光透過部材と、を備え、前記第一光素子は、その発光面が前記第一光ファイバの軸線よりも内側である前記第二光ファイバ側に位置するように設けられ、前記第二光素子は、その発光面または受光面が前記第二光ファイバの軸線よりも内側である前記第一光ファイバ側に位置するように設けられていることを特徴とする。
【００１０】
別の本発明にかかる光モジュールユニットは、第一光ファイバおよび第二光ファイバと、信号となる光を出射する第一光素子、および信号となる光を出射または受光する第二光素子と、前記第一光ファイバおよび前記第二光ファイバが接続される部材であって、前記第一光素子から出射された光を前記第一光ファイバに向かって集束させる第一レンズ部、および前記第二光素子および前記第二光ファイバの一方から出射された光を他方に向かって集束させる第二レンズ部を有する光透過部材と、を備え、前記第一光素子は、その発光面が前記第一光ファイバの軸線よりも外側である前記第二光ファイバから離れる側に位置するように設けられ、前記第二光素子は、その発光面または受光面が前記第二光ファイバの軸線よりも外側である前記第一光ファイバから離れる側に位置するように設けられていることを特徴とする。
【発明の効果】
【００１１】
本発明にかかる光モジュールでは、レンズ部と光ファイバの間の光軸が、光ファイバの軸線方向に対して傾斜するように設定されているため、光素子に向かって戻る戻り光によるノイズを抑制することができる。
【００１２】
光素子の発光面が光ファイバの軸線上からずれた位置に位置していれば、光素子に向かって戻る戻り光によるノイズをさらに抑制することができる。
【００１３】
光素子の発光面が光ファイバの軸線に直交する平面に対して傾斜していれば、光素子に向かって戻る戻り光によるノイズをさらに抑制することができる。
【００１４】
本発明にかかる光モジュールユニットは、第一光素子の発光面が第一光ファイバの軸線よりも内側である第二光ファイバ側に位置するように設けられ、第二光素子の発光面または受光面が第二光ファイバの軸線よりも内側である第一光ファイバ側に位置するように設けられているため、発光素子（第一光素子のみまたは第一光素子および第二光素子の両方）に向かって戻る戻り光によるノイズを抑制することができるだけでなく、ユニット全体を小型化することができる。
【００１５】
別の本発明にかかる光モジュールユニットは、第一光素子の発光面が第一光ファイバの軸線よりも外側である第二光ファイバから離れる側に位置するように設けられ、第二光素子の発光面または受光面が第二光ファイバの軸線よりも外側である第一光ファイバから離れる側に位置するように設けられているため、発光素子（第一光素子のみまたは第一光素子および第二光素子の両方）に向かって戻る戻り光によるノイズを抑制することができるだけでなく、第一光素子と第二光素子の間のスペース（基板の実装スペース）を大きくすることができる。
【図面の簡単な説明】
【００１６】
【図１】本発明の第一実施形態にかかる光モジュールの断面を模式的に示した図である。
【図２】本発明の第二実施形態にかかる光モジュールの断面を模式的に示した図である。
【図３】本発明の第三実施形態にかかる光モジュールの断面を模式的に示した図である。
【図４】本発明の第一実施形態にかかる光モジュールユニットの断面を模式的に示した図である。
【図５】本発明の第二実施形態にかかる光モジュールユニットの断面を模式的に示した図である。
【図６】本発明の第一実施形態にかかる光モジュールユニットの変形例（光素子の両方が発光素子である例）である。
【図７】本発明の第二実施形態にかかる光モジュールユニットの変形例（光素子の両方が発光素子である例）である。
【発明を実施するための形態】
【００１７】
以下、本発明の実施形態にかかる光モジュールについて図面を参照しつつ詳細に説明する。本実施形態にかかる光モジュールは、光ファイバ、光素子、および光透過部材を備え、発光素子である光素子と光ファイバとが、光透過部材（後述するレンズ部）によって光学的に接続されるものである。
【００１８】
第一実施形態にかかる光モジュール１ａを説明する。本実施形態における光素子２０ａはＶＣＳＥＬ等のレーザ発光素子である。この光素子２０ａは基板５０ａ上に実装されている。光透過部材３０ａは、少なくとも光の光路となる箇所が光透過性（光素子２０ａが出射するレーザ光を透過する）材料で形成された部材であって、ファイバ接続部３１ａおよび基板接続部３２ａを有する。ファイバ接続部３１ａは、筒状に形成された部分であって、当該筒の内側に光ファイバ１１ａを有する光ケーブル１０ａが挿入、固定される。本実施形態では、筒の底面における中央に凹部３３ａが形成されている。このような凹部３３ａを設けることにより、光ケーブル１０ａの中央に設けられた光ファイバ１１ａの先端が、筒の底面と接触することによる損傷が防止される。基板接続部３２ａは、光素子２０ａが実装された基板５０ａに接続される部分である。本実施形態では、導電性材料で形成された基板接続部材４０ａを介して基板５０ａにはんだ付け等によって接続されている。基板接続部材４０ａは、基板接続部３２ａにインサートされる部材であって、光素子２０ａから出射された光が通過する箇所には貫通孔４１ａが形成されている。この基板接続部材４０ａは、光透過部材３０ａを基板５０ａに接続するための部材としてだけでなく、光素子２０ａおよび基板５０ａに実装された電気部品に対するシールド効果を発揮する部材としても機能する。
【００１９】
光透過部材３０ａにおける光素子２０ａ側には、レンズ部３４ａが形成されている。レンズ部３４ａは光素子２０ａ側に向かって突出する凸レンズである。光素子２０ａから出射された光（発散光）は、このレンズ部３４ａを通過することによって光ファイバ１１ａに向かう集束光となる。つまり、このレンズ部３４ａによって光素子２０ａと光ファイバ１１ａが光学的に接続される。
【００２０】
本実施形態における、光素子２０ａ、光ファイバ１１ａ、レンズ部３４ａの位置関係は以下の通りである。光素子２０ａは、その軸線（発光面２１ａに直交する軸線のことをいう。以下同じ）が、光ファイバ１１ａの軸線Ｘと異なる（一致しない）位置に設けられている。なお、本実施形態では、光素子２０ａの軸線と光ファイバ１１ａの軸線Ｘは平行である。つまり、光素子２０ａの発光面２１ａは、光ファイバ１１ａの軸線Ｘに直交する平面と平行である。光素子２０ａから出射された光は、光素子２０ａの軸線を中心軸（光軸）とする発散光である。レンズ部３４ａは、この発散光が光ファイバ１１ａに向かう集束光となるように設計されている。したがって、レンズ部３４ａを通過した集束光の光軸Ｙ（光ファイバ１１ａとレンズ部３４ａの間の光軸Ｙ）は、光ファイバ１１ａの軸線Ｘおよび光素子２０ａの軸線に対して傾斜したものとなる。つまり、光素子２０ａから光ファイバ１１ａまでの光学系における光軸は、光素子２０ａからレンズ部３４ａまでが光素子２０ａの軸線に沿った線となり、レンズ部３４ａから光ファイバ１１ａまでが光素子２０ａの軸線とレンズ部３４ａが交わる交点と、光ファイバ１１ａの先端とを結ぶ線となる。
【００２１】
このように構成される本実施形態にかかる光モジュール１ａによれば、光ファイバ１１ａとレンズ部３４ａの間の光軸Ｙが、光ファイバ１１ａの軸線Ｘ方向に対して傾斜しているため、光ファイバ１１ａ近傍（光ファイバ１１ａの先端面（本実施形態では光ファイバ１１ａを構成する材料と凹部３３ａ内の空気との界面）や、上記光透過部材３０ａを構成する材料と凹部３３ａ内の空気との界面）で反射された光が光素子２０ａに向かって戻りにくい。具体的には、光ファイバ１１ａに対して真っ直ぐ入射する光線量（光ファイバ１１ａの軸線Ｘに沿う光線量）が小さくなるから、光素子２０ａに向かって戻る戻り光によるノイズを抑制することができる。特に、本実施形態では、光素子２０ａの発光面２１ａ（所定の大きさの発光領域を有するもの（面発光素子）であれば、当該発光領域の中央（発光点）のことをいう）が光ファイバ１１ａの軸線Ｘ上からずれた位置に位置しているため、光素子２０ａに向かって戻る戻り光によるノイズがさらに低減される。
【００２２】
第二実施形態にかかる光モジュール１ｂを説明する。なお、以下の説明は第一実施形態にかかる光モジュール１ａと異なる点を中心に説明し、同じ点については一部説明を省略する。
【００２３】
本実施形態にかかる光モジュール１ｂは、光素子２０ｂの発光面２１ｂが光ケーブル１０ｂの光ファイバ１１ｂの軸線Ｘに直交する平面に対して傾斜するように設けられている。したがって、光素子２０ｂから出射された光の光軸は、光ファイバ１１ｂの軸線Ｘに対して傾斜している。具体的には、光素子２０ｂの発光面２１ｂが光ファイバ１１ｂの軸線Ｘに直交する平面に対して傾斜させた角度分、出射された光の光軸が光ファイバ１１ｂの軸線Ｘに対して傾斜している。なお、光素子２０ｂを傾斜させるには、例えば、基板５０ｂと光素子２０ｂの間に土台等を介在させればよい。また、光素子２０ｂの発光面２１ｂ（所定の大きさの発光領域を有するもの（面発光素子）であれば、当該発光領域の中央（発光点）のことをいう）は、光ファイバ１１ｂの軸線Ｘ上からずれた位置に位置している。
【００２４】
レンズ部３４ｂは、光素子２０ｂと光ファイバ１１ｂを光学的に接続する。つまり、レンズ部３４ｂは、光素子２０ｂから出射された発散光が光ファイバ１１ｂに向かう集束光となるように設計されている。上記第一実施形態にかかる光モジュール１ａと同様に、レンズ部３４ｂを通過した集束光の光軸Ｙ（光ファイバ１１ｂとレンズ部３４ｂの間の光軸Ｙ）は、光ファイバ１１ｂの軸線Ｘに対して傾斜したものとなる。つまり、光素子２０ｂから光ファイバ１１ｂまでの光学系における光軸は、光素子２０ｂからレンズ部３４ｂまでが光素子２０ｂの軸線に沿った線となり、レンズ部３４ｂから光ファイバ１１ｂまでが光素子２０ｂの軸線とレンズ部３４ｂが交わる交点と、光ファイバ１１ｂの先端とを結ぶ線となる。このように、本実施形態では、光素子２０ｂからレンズ部３４ｂまでの光軸およびレンズ部３４ｂから光ファイバ１１ｂまでの光軸Ｙがともに光ファイバ１１ｂの軸線Ｘに対して傾斜した構成となる。
【００２５】
このように構成される本実施形態にかかる光モジュール１ｂによれば、上記第一実施形態にかかる光モジュール１ａと同様に、光ファイバ１１ｂとレンズ部３４ｂの間の光軸Ｙが、光ファイバ１１ｂの軸線Ｘ方向に対して傾斜しているため、光ファイバ１１ｂ近傍（光ファイバ１１ｂの先端面（本実施形態では光ファイバ１１ｂを構成する材料と凹部３３ｂ内の空気との界面）や、上記光透過部材３０ｂを構成する材料と凹部３３ｂ内の空気との界面）で反射された光が光素子２０ｂに向かって戻りにくい。具体的には、光ファイバ１１ｂに対して真っ直ぐ入射する光線量（光ファイバ１１ｂの軸線Ｘに沿う光線量）が小さくなるから、光素子２０ｂに向かって戻る戻り光によるノイズを抑制することができる。特に、本実施形態では、光素子２０ｂの発光面２１ｂが光ファイバ１１ｂの軸線Ｘ上からずれた位置に位置しているし、光素子２０ｂの発光面２１ｂが光ファイバ１１ｂの軸線Ｘに直交する平面に対して傾斜しているため、光素子２０ｂに向かって戻る戻り光によるノイズがさらに低減される。
【００２６】
第三実施形態にかかる光モジュール１ｃを説明する。なお、以下の説明は第一実施形態にかかる光モジュール１ａおよび第二実施形態にかかる光モジュール１ｂと異なる点を中心に説明し、同じ点については一部説明を省略する。
【００２７】
本実施形態にかかる光モジュール１ｃは、第二実施形態にかかる光モジュール１ｂと同様に、光素子２０ｃの発光面２１ｃが光ケーブル１０ｃの光ファイバ１１ｃの軸線Ｘに直交する平面に対して傾斜するように設けられている。また、光素子２０ｃの発光面２１ｃは、光ファイバ１１ｃの軸線Ｘ上に位置する。したがって、光素子２０ｃの発光点（発光面２１ｃの中央）は、光ファイバ１１ｃの軸線Ｘ上に位置するものの、光素子２０ｃから出射される光の光軸は、光ファイバ１１ｃの軸線Ｘに対して傾斜している。
【００２８】
レンズ部３４ｃは、光素子２０ｃと光ファイバ１１ｃを光学的に接続する。つまり、レンズ部３４ｃは、光素子２０ｃから出射された発散光が光ファイバ１１ｃに向かう集束光となるように設計されている。上記第一実施形態にかかる光モジュール１ａおよび第二実施形態にかかる光モジュール１ｂと同様に、レンズ部３４ｃを通過した集束光の光軸Ｙ（光ファイバ１１ｃとレンズ部３４ｃの間の光軸Ｙ）は、光ファイバ１１ｃの軸線Ｘに対して傾斜したものとなる。つまり、光素子２０ｃから光ファイバ１１ｃまでの光学系における光軸は、光素子２０ｃからレンズ部３４ｃまでが光素子２０ｃの軸線に沿った線となり、レンズ部３４ｃから光ファイバ１１ｃまでが光素子２０ｃの軸線とレンズ部３４ｃが交わる交点と、光ファイバ１１ｃの先端とを結ぶ線となる。このように、本実施形態では、光素子２０ｃからレンズ部３４ｃまでの光軸およびレンズ部３４ｃから光ファイバ１１ｃまでの光軸Ｙがともに光ファイバ１１ｃの軸線Ｘに対して傾斜した構成となる。より具体的には、光の進行方向で見て、光素子２０ｃからレンズ部３４ｃまでの光軸が光ファイバ１１ｃの軸線Ｘからだんだんと離れていくように傾斜し、レンズ部３４ｃから光ファイバ１１ｃまでの光軸Ｙが光ファイバ１１ｃの軸線Ｘにだんだんと近づいていくように傾斜した構成となる。かかる点で上記第二実施形態にかかる光モジュール１ｂと異なる。
【００２９】
このように構成される本実施形態にかかる光モジュール１ｃによれば、上記第一実施形態にかかる光モジュール１ａおよび第二実施形態にかかる光モジュール１ａと同様に、光ファイバ１１ｃとレンズ部３４ｃの間の光軸Ｙが、光ファイバ１１ｃの軸線Ｘ方向に対して傾斜しているため、光ファイバ１１ｃ近傍（光ファイバ１１ｃの先端面（本実施形態では光ファイバ１１ｃを構成する材料と凹部３３ｃ内の空気との界面）や、上記光透過部材３０ｃを構成する材料と凹部３３ｃ内の空気との界面）で反射された光が光素子２０ｃに向かって戻りにくい。具体的には、光ファイバ１１ｃに対して真っ直ぐ入射する光線量（光ファイバ１１ｃの軸線Ｘに沿う光線量）が小さくなるから、光素子２０ｃに向かって戻る戻り光によるノイズを抑制することができる。特に、本実施形態では、光素子２０ｃの発光面２１ｃが光ファイバ１１ｃの軸線Ｘに直交する平面に対して傾斜しているため、光素子２０ｃに向かって戻る戻り光によるノイズがさらに低減される。また、本実施形態では、光素子２０ｃの発光面２１ｃが、光ファイバ１１ｃの軸線Ｘ上に位置する。すなわち、同じ線上に光素子２０ｃと光ファイバ１１ｃが並ぶように配置される構成（上記第一実施形態や第二実施形態に比してモジュール全体の大きさを小さくすることができる構成）であっても、戻り光の影響を低減することができる。
【００３０】
次に、本発明の第一実施形態にかかる光モジュールユニット２ａについて説明する。本実施形態にかかる光モジュールユニット２ａは、光素子が発光素子である発光側モジュールと、光素子が受光素子（例えばフォトダイオード）である受光側モジュールとが一体化されたもの（共通の光透過部材３０１ａを用いるもの）である。なお、発光側モジュールは、上記第一実施形態にかかる光モジュール１ａに相当するものである。
【００３１】
本実施形態にかかる光モジュールユニット２ａは、第一光ファイバ１１１ａ（第一光ケーブル１０１ａ）および第二光ファイバ１１２ａ（第二光ケーブル１０２ａ）と、第一光素子２０１ａおよび第二光素子２０２ａと、光透過部材３０１ａと、を備える。第一光ファイバ１１１ａおよび第一光素子２０１ａは、発光側モジュールを構成する。つまり、第一光素子２０１ａは発光素子であり、第一光ファイバ１１１ａには第一光素子２０１ａから出射された光（信号）が入射する。第二光ファイバ１１２ａおよび第二光素子２０２ａは、受光側モジュールを構成する。つまり、第二光素子２０２ａは受光素子であり、第二光ファイバ１１２ａから出射された光（信号）が第二光素子２０２ａに入射する。
【００３２】
光透過部材３０１ａは、発光側モジュールに適用される部分と受光側モジュールに適用される部分とが一体化されてなるものである。光透過部材３０１ａは、ファイバ接続部３１１ａ、３１２ａおよび基板接続部３２ａを有する。ファイバ接続部３１１ａ、３１２ａは、第一光ファイバ１１１ａおよび第二光ファイバ１１２ａのそれぞれについて設けられている。両ファイバ接続部や基板接続部３２ａの形状等は、上記実施形態にかかる光モジュール１ａ〜１ｃのファイバ接続部および基板接続部３２ａの構成と同様の構成が適用できる。各ファイバ接続部（筒）の底面における中央に凹部３３１ａ、３３２ａが形成されている点も上記実施形態にかかる光モジュール１ａ〜１ｃと同様である。
【００３３】
光透過部材３０１ａには、第一レンズ部３４１ａおよび第二レンズ部３４２ａが形成されている。第一レンズ部３４１ａは、第一光素子２０１ａから出射された光を第一光ファイバ１１１ａに向かって集束させる。つまり、第一レンズ部３４１ａによって、第一光素子２０１ａと第一光ファイバ１１１ａが光学的に接続される。第二レンズ部３４２ａは、第二光ファイバ１１２ａから出射された光を第二光素子２０２ａに向かって集束させる。つまり、第二レンズ部３４２ａによって、第二光素子２０２ａと第二光ファイバ１１２ａが光学的に接続される。
【００３４】
第一光素子２０１ａは、その発光面２１１ａ（所定の大きさの発光領域を有するもの（面発光素子）であれば、当該発光領域の中央（発光点）のことをいう）が第一光ファイバ１１１ａの軸線Ｘ１よりも内側である第二光ファイバ１１２ａ側に位置するように設けられている。なお、本実施形態では、第一光素子２０１ａの軸線と第一光ファイバ１１１ａの軸線Ｘ１は平行である。つまり、第一光素子２０１ａの発光面２１１ａは、第一光ファイバ１１１ａの軸線Ｘ１に直交する平面と平行である。第一光素子２０１ａから出射された光は、第一光素子２０１ａの軸線を中心軸（光軸）とする発散光である。第一レンズ部３４１ａは、この発散光が第一光ファイバ１１１ａに向かう集束光となるように設計されている。したがって、第一レンズ部３４１ａを通過した集束光の光軸Ｙ（第一光ファイバ１１１ａと第一レンズ部３４１ａの間の光軸Ｙ）は、第一光ファイバ１１１ａの軸線Ｘ１および第一光素子２０１ａの軸線に対して傾斜したものとなる。つまり、第一光素子２０１ａから第一光ファイバ１１１ａまでの光学系における光軸は、第一光素子２０１ａから第一レンズ部３４１ａまでが第一光素子２０１ａの軸線に沿った線となり、第一レンズ部３４１ａから第一光ファイバ１１１ａまでが第一光素子２０１ａの軸線と第一レンズ部３４１ａが交わる交点と、第一光ファイバ１１１ａの先端とを結ぶ線となる。
【００３５】
第二光素子２０２ａは、その受光面２１２ａ（所定の大きさの受光領域を有するものであれば、当該受光領域の中央のことをいう）が第二光ファイバ１１２ａの軸線Ｘ２よりも内側である第一光ファイバ１１１ａ側に位置するように設けられている。なお、本実施形態では、第二光素子２０２ａの軸線と第二光ファイバ１１２ａの軸線Ｘ２は平行である。つまり、第二光素子２０２ａの発光面２１２ａは、第二光ファイバ１１２ａの軸線Ｘ２に直交する平面と平行である。第二光ファイバ１１２ａから出射された光は、第二光ファイバ１１２ａの軸線Ｘ２を中心軸（光軸）とする発散光である。第二レンズ部３４２ａは、この発散光が第二光素子２０２ａに向かう集束光となるように設計されている。したがって、第二レンズ部３４２ａを通過した集束光の光軸（第二レンズ部３４２ａと第二光素子２０２ａの間の光軸）は、第二光ファイバ１１２ａの軸線Ｘ２および第二光素子２０２ａの軸線に対して傾斜したものとなる。つまり、第二光ファイバ１１２ａから第二光素子２０２ａまでの光学系における光軸は、第二光ファイバ１１２ａから第二レンズ部３４２ａまでが第二光ファイバ１１２ａの軸線Ｘ２に沿った線となり、第二レンズ部３４２ａから第二光素子２０２ａまでが第二光ファイバ１１２ａの軸線Ｘ２と第二レンズ部が交わる交点と、第二光素子２０２ａの受光面とを結ぶ線となる。
【００３６】
このように構成される本実施形態にかかる光モジュールユニット２ａによれば、第一光ファイバ１１１ａと第一レンズ部３４１ａの間の光軸Ｙが、第一光ファイバ１１１ａの軸線Ｘ１方向に対して傾斜しているため、第一光ファイバ１１１ａ近傍（第一光ファイバ１１１ａの先端面（本実施形態では第一光ファイバ１１１ａを構成する材料と凹部３３１ａ、３３２ａ内の空気との界面）や、上記光透過部材３０１ａを構成する材料と凹部３３１ａ、３３２ａ内の空気との界面）で反射された光が第一光素子２０１ａに向かって戻りにくい。具体的には、第一光ファイバ１１１ａに対して真っ直ぐ入射する光線量（第一光ファイバ１１１ａの軸線Ｘ１に沿う光線量）が小さくなるから、第一光素子２０１ａに向かって戻る戻り光によるノイズを抑制することができる。
【００３７】
また、本実施形態にかかる光モジュールユニット２ａでは、第一光素子２０１ａの発光面２１１ａが第一光ファイバ１１１ａの軸線Ｘ１よりも内側である第二光ファイバ１１２ａ側に位置するように設けられ、第二光素子２０２ａの受光面が第二光ファイバ１１２ａの軸線Ｘ２よりも内側である第一光ファイバ１１１ａ側に位置するように設けられているため、第一光素子２０１ａおよび第二光素子２０２ａが並ぶ方向においてユニットを小型化することができる。つまり、本実施形態にかかる光モジュールユニット２ａは、ノイズの抑制と、ユニットの小型化の両方を実現することができるものである。
【００３８】
第二実施形態にかかる光モジュールユニット２ｂを説明する。なお、以下の説明は第一実施形態にかかる光モジュールユニット２ａと異なる点を中心に説明し、同じ点については一部説明を省略する。
【００３９】
第二実施形態にかかる光モジュールユニット２ｂでは、第一光素子２０１ｂは、その発光面２１１ｂ（所定の大きさの発光領域を有するもの（面発光素子）であれば、当該発光領域の中央（発光点）のことをいう）が第一光ファイバ１１１ｂの軸線Ｘ１よりも外側である第二光ファイバ１１２ｂから離れる側に位置するように設けられている。第一光素子２０１ｂから出射された光は、第一光素子２０１ｂの軸線を中心軸（光軸）とする発散光である。第一レンズ部３４１ｂは、この発散光が第一光ファイバ１１１ｂに向かう集束光となるように設計されている。したがって、第一レンズ部３４１ｂを通過した集束光の光軸Ｙ（第一光ファイバ１１１ｂと第一レンズ部３４１ｂの間の光軸Ｙ）は、第一光ファイバ１１１ｂの軸線Ｘ１および第一光素子２０１ｂの軸線に対して傾斜したものとなる。つまり、第一光素子２０１ｂから第一光ファイバ１１１ｂまでの光学系における光軸は、第一光素子２０１ｂから第一レンズ部３４１ｂまでが第一光素子２０１ｂの軸線に沿った線となり、第一レンズ部３４１ｂから第一光ファイバ１１１ｂまでが第一光素子２０１ｂの軸線と第一レンズ部３４１ｂが交わる交点と、第一光ファイバ１１１ｂの先端とを結ぶ線となる。
【００４０】
第二光素子２０２ｂは、その受光面２１１ｂ（所定の大きさの受光領域を有するものであれば、当該受光領域の中央のことをいう）が第二光ファイバ１１２ｂの軸線Ｘ２よりも外側である第一光ファイバ１１１ｂから離れる側に位置するように設けられている。第二光ファイバ１１２ｂから出射された光は、第二光ファイバ１１２ｂの軸線を中心軸（光軸）とする発散光である。第二レンズ部３４２ｂは、この発散光が第二光素子２０２ｂに向かう集束光となるように設計されている。したがって、第二レンズ部３４２ｂを通過した集束光の光軸（第二レンズ部３４２ｂと第二光素子２０２ｂの間の光軸）は、第二光ファイバ１１２ｂの軸線Ｘ２および第二光素子２０２ｂの軸線に対して傾斜したものとなる。つまり、第二光ファイバ１１２ｂから第二光素子２０２ｂまでの光学系における光軸は、第二光ファイバ１１２ｂから第二レンズ部３４２ｂまでが第二光ファイバ１１２ｂの軸線Ｘ２に沿った線となり、第二レンズ部３４２ｂから第二光素子２０２ｂまでが第二光ファイバ１１２ｂの軸線Ｘ２と第二レンズ部３４２ｂが交わる交点と、第二光素子２０２ｂの受光面とを結ぶ線となる。
【００４１】
このように構成される本実施形態にかかる光モジュールユニット２ｂによれば、上記第一実施形態にかかる光モジュールユニット２ａと同様に、第一光ファイバ１１１ｂと第一レンズ部３４１ｂの間の光軸Ｙが、第一光ファイバ１１１ｂの軸線Ｘ１方向に対して傾斜しているため、第一光素子２０１ｂに向かって戻る戻り光によるノイズを抑制することができる。
【００４２】
また、本実施形態にかかる光モジュールユニット２ｂでは、第一光素子２０１ｂの発光面２１１ｂが第一光ファイバ１１１ｂの軸線Ｘ１よりも外側である第二光ファイバ１１２ｂから離れる側に位置するように設けられ、第二光素子２０２ｂの受光面が第二光ファイバ１１２ｂの軸線Ｘ２よりも外側である第一光ファイバ１１１ｂから離れる側に位置するように設けられているため、第一光素子２０１ｂと第二光素子２０２ｂの間のスペースが大きくなる。つまり、第一光素子２０１ｂと第二光素子２０２ｂの間の基板５０ｂの実装スペースを大きくすることができる。つまり、本実施形態にかかる光モジュールユニット２ｂは、ノイズの抑制と、基板の実装スペース大型化の両方を実現することができるものである。
【００４３】
なお、上記第一実施形態にかかる光モジュールユニット２ａおよび第二実施形態にかかる光モジュールユニット２ｂは、発光側モジュールとして上記第一実施形態にかかる光モジュール１ａに相当する構成を適用したものであることを説明したが、上記第二実施形態にかかる光モジュール１ｂのような発光面が傾斜した発光素子を用いることも可能である。同様に、受光面が傾斜した受光素子を用いることも可能である。
【００４４】
また、図６および図７に示すように、第一光素子２０１ｃ、２０１ｄおよび第二光素子２０２ｃ′、２０２ｄ′の両方が発光素子である構成としてもよい。図６に示した構成とすれば、戻り光によるノイズを抑制しつつ、ユニット全体を小型化することができ、図７に示した構成とすれば、戻り光によるノイズを抑制しつつ、第一光素子と第二光素子の間のスペース（基板の実装スペース）を大きくすることができる。
【００４５】
以上、本発明の実施形態について詳細に説明したが、本発明は上記実施形態に何ら限定されるものではなく、本発明の要旨を逸脱しない範囲で種々の改変が可能である。
【符号の説明】
【００４６】
１ａ〜１ｃ  光モジュール
１１ａ〜１１ｃ  光ファイバ
２０ａ〜２０ｃ  光素子
２１ａ〜２１ｃ  発光面
３０ａ〜３０ｃ  光透過部材
３４ａ〜３４ｃ  レンズ部
５０ａ〜５０ｃ  基板
Ｘ  光ファイバの軸線
Ｙ  レンズ部と光ファイバの間の光軸
２ａ〜２ｄ  光モジュールユニット
１１１ａ〜１１１ｄ  第一光ファイバ
１１２ａ〜１１２ｄ  第二光ファイバ
２０１ａ〜２０１ｄ  第一光素子
２０２ａ、２０２ｂ、２０２ｃ′、２０２ｄ′  第二光素子
３０１ａ〜３０１ｄ  光透過部材
３４１ａ〜３４１ｄ  第一レンズ部
３４２ａ〜３４２ｄ  第二レンズ部
Ｘ１、Ｘ２  光ファイバの軸線
Ｙ  第一レンズ部と第一光ファイバの間の光軸
【図１】
2015014758.tif 000003
【図２】
2015014758.tif 000004
【図３】
2015014758.tif 000005
【図４】
2015014758.tif 000006
【図５】
2015014758.tif 000007
【図６】
2015014758.tif 000008
【図７】
2015014758.tif 000009